(57)【特許請求の範囲】
【請求項１】
インフレータの取付穴を有するインフレータ側布と乗員側布とを重合し、これら各布の外周部を縫合した車両用エアバッグにおいて、インフレータガスの流れを制御する上記取付穴の直径より大なる幅の内布により上記取付穴を被覆して、この内布の左右の端部を上記インフレータ側布に縫着すると共に、エアバッグの所定の展開圧力によって破断する制御用縫製により、上記インフレータ側布と乗員側布とを上記取付穴周囲の上部，下部及び左右両側に十字状配置で半径方向に縫着し、かつエアバッグ下部の制御用縫製を他の部分の制御用縫製より弱く形成せしめたことを特徴とする車両用エアバッグ。
【発明の詳細な説明】
【０００１】
【産業上の利用分野】
本発明は、運転席用エアバッグ装置等のエアバッグ袋体に係り、詳しくはエアバッグに施した制御用縫製と内布とによって展開形状を制御する車両用エアバッグに関するものである。
【０００２】
【従来の技術】
エアバッグ装置は、車両の衝突時に瞬時にエアバッグが膨張することによって乗員を拘束する装置であり、通常、ガス発生器であるインフレータと、インフレータのガスにより膨張するエアバッグとを備えている。
【０００３】
そして、上記エアバッグは、例えばインフレータ取付用の略円形の取付穴を有するインフレータ側布と、この布とほぼ同形の乗員側布の外周縁部同士を縫合することによって作製されることが多い。
【０００４】
ところで、エアバッグにはより速く所定の展開形状にするためにテザーと呼ばれるストラップが設けられることがあり、このストラップは、エアバッグの前記インフレータ側布と乗員側布の夫々の中心付近同士を連結し、エアバッグ展開時の該エアバッグをより速く所定の展開形状にするようになっている。しかし、上記ストラップはエアバッグの内面に取付けられているのが一般的であり、その取付には技術を要することから、工数や時間を要する不利があり、延いてはエアバッグのコストアップの要因となったり、ストラップが嵩張るためにエアバッグの重量とパッケージボリュームが増大する等の問題を有している。
【０００５】
【発明が解決しようとする課題】
そこで上記の問題を解決するために、ストラップを省略する手段として上記テザーの代用となる縫製が考えられている。この縫製は、エアバッグ展開時に縫製糸が切れることによってエネルギー吸収を行わせるティアーシーム（Tear Seam ）と呼ばれるものであり、エアバッグの乗員側布とインフレータ側布とを所定の展開圧力により破断する制御用縫製により縫合し、エアバッグ展開時に於て、上記ティアーシームが破断し、乗員側布の飛び出し方向のエネルギー吸収を行い、展開挙動を制御している。
【０００６】
しかしながら、上記従来のティアーシームでは、制御用縫製を施した複数の縫合部において各縫製糸がほぼ同時に破断するように設定されていることから、エアバッグの展開挙動が上記各縫製糸の破断のタイミングによって左右される。
【０００７】
本発明は叙上の如き実状に対処し、上記制御用縫製に破断の順序を設定することにより、エアバッグを外周部側から展開させるとともに、この展開時の乗員側布のエネルギーを充分吸収させることを目的とするものである。
【０００８】
【課題を解決するための手段】
即ち、上記目的に適合する本発明エアバッグの特徴は、インフレータ取付穴を有するインフレータ側布と乗員側布とを重合し、これら各布の外周部を縫合した車両用エアバッグにおいて、インフレータガスの流れを制御する上記取付穴の直径より大なる幅の内布により上記取付穴を被覆して、この内布の左右の端部を上記インフレータ側布に縫着すると共に、エアバッグの所定の展開圧力によって破断する制御用縫製により、上記インフレータ側布と乗員側布とを上記取付穴周囲の上部，下部及び左右両側に十字状配置で半径方向に縫着し、かつエアバッグ下部の制御用縫製を他の部分の制御用縫製より弱く形成せしめて、エアバッグを下部から先に膨張させるようにした点にある。
【０００９】
さらに、同じく上記本発明のエアバッグにおいて、ベントホールの近傍に制御用縫製を施すことにより、エアバッグの展開初期のガス抜けを抑制し、インフレータガスの有効利用を図ることも可能である。
【００１０】
【作用】
エアバッグ装置が作動すると、インフレータガスはエアバッグ内で乗員側布に向かって吹き出してくるが、上記本発明のエアバッグでは、インフレータと乗員側布との間に左右の端部が縫着された内布が介在し、かつインフレータ側布と乗員側布とが前記制御用縫製によって縫合されていることからも乗員側布はすぐには飛び出さず、最初は内布の存在によりエアバッグの上下部方向にインフレータガスが流れ、ある程度内圧が上がった時点で、先ずエアバッグの下部、次いで上部の制御用縫製が破断し、この部分を通りエアバッグを下部から先に膨張させてその外周まで多量のインフレータガスが到達する。
【００１１】
そして、さらにエアバッグの内圧が上がると、続いて上記破断した縫合部の両隣の制御縫製縫合部が破断して、同様にその外周部まで多量のインフレータガスが到達し、以下、隣合う制御縫製縫合部が順次破断して行く。
【００１２】
すわなち、本発明では上記の如く制御縫製縫合部の破断強度を調整して、この縫合部の破断のタイミングを各部位毎にずらすことにより、エアバッグの外周部に上記の如く常にインフレータガスが向かって行くようにし、この外周部からの展開を早めると同時に、乗員側布の飛び出し方向へのエネルギーを充分吸収することが可能である。
【００１３】
【実施例】
以下、さらに添付図面を参照して、本発明の実施例を説明する。
【００１４】
図１は本発明実施例の運転席用エアバッグを乗員側布から見た平面図、図２は同実施例エアバッグの断面図であり、このエアバッグは、インフレータの取付穴１、ボルト穴２、およびベントホール３を有するインフレータ側布４と、このインフレータ側布４と同じ外形の乗員側布５とを重合し、これら各布４，５の外周部を縫製６により縫合してエアバッグを袋状に形成している。
【００１５】
そして、上記実施例のエアバッグでは、上記取付穴１の直径より大なる幅の長方形状布からなり、かつ上記取付穴１を被覆することによりインフレータガスの流れを制御する内布７を、図示の如く取付穴１を跨ぐように配設して、その左右端部をインフレータ側布４に縫着している。
【００１６】
またさらに、エアバッグが膨張する際の所定の展開圧力によって破断される制御用縫製８，８′によって、上記インフレータ側布４と乗員側布５とを、上記取付穴１周囲の４箇所で上下左右の半径方向に縫着している。そして、エアバッグ下部の制御用縫製８′を、他の部分の制御用縫製８より先に破断されるよう所要弱く形成している。この実施例では、下部の制御用縫製８′に４２０ｄの縫製糸用い、他の制御用縫製８には８４０ｄの縫製糸を用いている。
【００１７】
しかして、上記本発明各実施例のエアバッグにおいては、インフレータ（図示せず）と乗員側布５との間に内布７が介在し、かつインフレータ側布４と乗員側布５とが前記制御用縫製８，８′によって縫合されているため、乗員側布５に向かって吹き出すインフレータガスに対しても乗員側布５はすぐには飛び出さず、ある程度内圧が上がった時点で、先ず一番弱くした部分の制御用縫製８′が破断し、この部分を通りその外周部まで上記インフレータガスが到達する。
【００１８】
そして、さらにエアバッグの内圧が上がると、続いて上記破断した制御用縫製８′の両隣の制御用縫製８が破断して、同様にその外周部までインフレータガスが到達し、最後に残る上部の制御用縫製８が破断してエアバッグの展開が完了する。
【００１９】
すわなち、本発明実施例では、上記の如く制御用縫製８，８′の破断強度を調整して、これら縫製８，８′の破断のタイミングを各部位毎にずらすことにより、エアバッグの外周部に上記の如く常にインフレータガスが向かって行くようにし、この外周部からの展開を早めると同時に、乗員側布の飛び出し方向へのエネルギーを充分吸収することが可能となる。
【００２２】
【発明の効果】
以上説明したように、本発明の車両用エアバッグは、インフレータ側布と乗員側布の外周部を縫合したエアバッグにおいて、インフレータガスの流れを制御する内布により上記取付穴を被覆して、この内布の左右の端部を上記インフレータ側布に縫着すると共に、エアバッグの所定の展開圧力によって破断する制御用縫製により上記インフレータ側布と乗員側布とを上記取付穴周囲の上部，下部及び左右両側に十字状配置で半径方向に縫着し、かつ、下部の制御用縫製を他の制御用縫製より弱く形成したものであり、上記内布を介設し、乗員側へ向かうインフレータガスの流れを上下方向に変え、次いで下→上、左右又は下→上→左右の順に制御用縫製の破断のタイミングをずらすことにより、エアバッグの外周部に順次インフレータガスが向かって行くようにし、この外周部からの展開を早めるとともに、乗員側布の飛び出し方向へのエネルギーを充分吸収することが可能で、特に下部の制御用縫製を弱く形成することにより展開初期の乗員への不必要なバッグの突出を抑制し、かつ破断後は下部より先に膨張することによりハンドルに近い乗員の腹部を拘束し、従来のストラップ付きエアバッグと同等な展開挙動を実現してその代替をなし、ストラップを省略した低コストで低ボリュームなエアバッグを提供するとの顕著な効果を奏するものである。
【図面の簡単な説明】
【図１】  本発明実施例の運転席用エアバッグを乗員側布から見た平面図である。
【図２】  同実施例エアバッグの断面図である。
【図１】
0003750154.tif 000002
【図２】
0003750154.tif 000003